(57)【特許請求の範囲】
【請求項１】
便器に装着され、タンクに貯めた温水を洗浄用ノズルから噴射する衛生洗浄装置において、床面に最も近接する前記タンクの底部に下向きに設けられたタンク用水抜栓であって、
前記タンクの底部に開設された排水口を直接閉塞するプラグ部と、該プラグ部の下端側に分離可能に組み合わされ、通常はプラグ部と一体をなすツマミ部とから成ることを特徴とする衛生洗浄装置のタンク用水抜栓。
【請求項２】
前記衛生洗浄装置を便器に装着する際、前記タンクの排水口を閉塞した状態にあるプラグ部の下端側が、組み合わせてある前記ツマミ部の高さ分よりも床面に近接する場合に、前記ツマミ部をプラグ部から外すように設定したことを特徴とする請求項１記載の衛生洗浄装置のタンク用水抜栓。
【請求項３】
前記プラグ部とツマミ部とは、それぞれに螺合する取付ネジを介して一体に組み合わされることを特徴とする請求項１または２記載の衛生洗浄装置のタンク用水抜栓。
【請求項４】
前記プラグ部とツマミ部との、互いに組み合わされる対接面側の何れか一方に係合突起を設け、何れか他方に、前記係合突起が相対的に回転不能に係合する被係合溝を設け、
前記係合突起と被係合溝とが少なくとも係合している際、前記ツマミ部に対する回転力がプラグ部に伝達されるように構成したことを特徴とする請求項１，２または３記載の衛生洗浄装置のタンク用水抜栓。
【請求項５】
前記プラグ部とツマミ部との、互いに組み合わされる対接面側の何れか一方に、軸心を中心とした半径方向に放射状に延びる係合突起を設け、何れか他方に、前記係合突起に対応して、軸心を中心とした半径方向に放射状に延び、前記係合突起が相対的に回転不能に係合する被係合溝を設け、
前記係合突起と被係合溝とが係合している状態で、プラグ部とツマミ部とは、それぞれの軸心を通るように螺合する一本の取付ネジを介して一体に組み合わされ、
前記取付ネジを外しても、前記係合突起と被係合溝とが係合していれば、前記ツマミ部に対する回転力がプラグ部に伝達されるように構成したことを特徴とする請求項１または２記載の衛生洗浄装置のタンク用水抜栓。
【発明の詳細な説明】
【０００１】
【発明の属する技術分野】
本発明は、便器に装着され、タンクに貯めた温水を洗浄用ノズルから噴射する衛生洗浄装置において、床面に最も近接する前記タンクの底部に下向きに設けられたタンク用水抜栓に関する。
ここで便器とは、洋風の腰掛け式便器の他、いわゆる和風両用便器に、後から便座を含む便器部品を設置して、腰掛け式に改造した便器を含むものである。
【０００２】
【従来の技術】
従来、この種の衛生洗浄装置としては、例えば、図１５に示すようなものが知られている。衛生洗浄装置１は、便座５や洗浄ノズル２を備えたケーシング本体３の底面側を、便器側の便座後方に取付用プレートやボルト（図示せず）などによって固定する。
【０００３】
かかる衛生洗浄装置１において、最も床面に近接する下方に位置する部位は、ケーシング本体３の片側に配設されたタンク４の底部である。このタンク４の底部には、長期間使用しない場合や保守・点検時に、水を抜くための排水口とその水抜栓（図示せず）が設けられている。水抜栓は、タンク４下方へ手を伸ばして簡単に外せるように、ツマミがある頭部側がタンク４下方にある程度突出していた。
【０００４】
前記衛生洗浄装置１を、図１１に示す洋風の腰掛け式便器Ｃに装着する場合、床面から便器上面までの高さが相当あるため、床面に対するタンク４底部の位置を気にする必要はない。従って、タンク４の底部に室内用の暖房装置を組み込んで、タンク底部がさらに下方へ嵩張るタイプの装置でも、何ら問題なく設置することが可能であった。
【０００５】
【発明が解決しようとする課題】
しかしながら、従来の衛生洗浄装置１を、図１５，１６に示すように、和風両用便器Ａに腰掛け改造用の便器部品Ｂを設置したものに装着する場合、床Ｆにある段部Ｆ１との干渉が問題となる。すなわち、タンク４底部に暖房装置を組み込んだタイプでは、タンク底部自体が段部Ｆ１にぶつかるので装着することはできない。
【０００６】
また、タンク４底部に暖房装置を組み込んでないタイプでも、タンク４底部が段部Ｆ１にぶつかることはないが極めて近接するので、タンク４底部より下方に突出した水抜栓の頭部が段部Ｆ１に当たってしまう。そのため、例えばタンクの高さを短くしたような特注品でない限り、図１５，１６に示すような便器部品Ｂには装着できないという問題があった。
【０００７】
このような問題を回避するために、前記タンク４底部の水抜栓を、その下方に延びる頭部を切断したような、全長の短いものとして規格化することも考えられる。しかしそれでは、一般に大多数をしめる洋風の腰掛け式便器で、前記ツマミのある水抜栓でも何ら問題がなかったにも拘わらず、ツマミをなくすことで水抜栓を開けにくくなるという不具合のみ大きくなる。
【０００８】
そのため、ツマミのある長い水抜栓と、ツマミのない短い水抜栓とを別々に製品化することも考えられるが、各製品について別々に製造数や製造工程、それに流通過程を管理する必要が生じてしまい、却ってコストが嵩むなどの問題点が発生し、実現は実質的には困難であった。
【０００９】
本発明は、以上のような従来技術が有する問題点に着目してなされたもので、衛生洗浄装置の最下端にあるタンク底部より下方にさらに突出する水抜栓の長さを、簡易な構成で調整することができ、タンク底部が便器下方の床面に極めて近接する場合でも、支障なく取り付けることが可能で、コストアップを招くことなく、製品の施工範囲を広げることができる衛生洗浄装置のタンク用水抜栓を提供することを目的としている。
【００１０】
【課題を解決するための手段】
前述した目的を達成するための本発明の要旨とするところは、以下の各項に存する。
［１］便器に装着され、タンク（２０）に貯めた温水を洗浄用ノズル（１４）から噴射する衛生洗浄装置（１０）において、床面に最も近接する前記タンク（２０）の底部（２１）に下向きに設けられたタンク用水抜栓（３０）であって、前記タンク（２０）の底部（２１）に開設された排水口（２２）を直接閉塞するプラグ部（３１）と、該プラグ部（３１）の下端側に分離可能に組み合わされ、通常はプラグ部（３１）と一体をなすツマミ部（３６）とから成ることを特徴とする衛生洗浄装置（１０）におけるタンク用水抜栓（３０）。
【００１１】
［２］前記衛生洗浄装置（１０）を便器に装着する際、前記タンク（２０）の排水口（２２）を閉塞した状態にあるプラグ部（３１）の下端側が、組み合わせてある前記ツマミ部（３６）の高さ分よりも床面に近接する場合に、前記ツマミ部（３６）をプラグ部（３１）から外すように設定したことを特徴とする［１］記載の衛生洗浄装置（１０）におけるタンク用水抜栓（３０）。
【００１２】
［３］前記プラグ部（３１）とツマミ部（３６）とは、それぞれに螺合する取付ネジ（４０）を介して一体に組み合わされることを特徴とする［１］または［２］記載の衛生洗浄装置（１０）におけるタンク用水抜栓（３０）。
【００１３】
［４］前記プラグ部（３１）とツマミ部（３６）との、互いに組み合わされる対接面側の何れか一方に係合突起（３９）を設け、何れか他方に、前記係合突起（３９）が相対的に回転不能に係合する被係合溝（３３）を設け、
前記係合突起（３９）と被係合溝（３３）とが少なくとも係合している際、前記ツマミ部（３６）に対する回転力がプラグ部（３１）に伝達されるように構成したことを特徴とする［１］，［２］または［３］記載の衛生洗浄装置（１０）におけるタンク用水抜栓（３０）。
【００１４】
［５］前記プラグ部（３１）とツマミ部（３６）との、互いに組み合わされる対接面側の何れか一方に、軸心を中心とした半径方向に放射状に延びる係合突起（３９）を設け、何れか他方に、前記係合突起（３９）に対応して、軸心を中心とした半径方向に放射状に延び、前記係合突起（３９）が相対的に回転不能に係合する被係合溝（３３）を設け、
前記係合突起（３９）と被係合溝（３３）とが係合している状態で、プラグ部（３１）とツマミ部（３６）とは、それぞれの軸心を通るように螺合する一本の取付ネジ（４０）を介して一体に組み合わされ、
前記取付ネジ（４０）を外しても、前記係合突起（３９）と被係合溝（３３）とが係合していれば、前記ツマミ部（３６）に対する回転力がプラグ部（３１）に伝達されるように構成したことを特徴とする［１］または［２］記載の衛生洗浄装置（１０）におけるタンク用水抜栓（３０）。
【００１５】
次に、前述した解決手段に基づく作用を説明する。
［１］記載の衛生洗浄装置（１０）におけるタンク用水抜栓（３０）は、通常、タンク（２０）の底部（２１）の排水口（２２）を直接閉塞するプラグ部（３１）に、ツマミ部（３６）が一体に組み合わされており、そのまま一部品として扱われる。
【００１６】
このように、プラグ部（３１）とツマミ部（３６）が一体であるとき、タンク用水抜栓（３０）の高さに相当する全長は、各部（３１，３６）を足した長さになり、実際はタンク（２０）の底部（２１）よりさらに下方にある程度突出することになる。
【００１７】
各部（３１，３６）が一体のタンク用水抜栓（３０）を備えた衛生洗浄装置（１０）を、洋風トイレと称される腰掛け式便器（Ｃ）に装着する場合、床面から便器上面までの高さが相当あるため、衛生洗浄装置（１０）の最下端に位置するタンク（２０）の底部（２１）は床面からは相当離隔する。
【００１８】
そのため、タンク（２０）底部（２１）より、さらに下方にタンク用水抜栓（３０）のツマミ部（３６）が突出していても、その先端が床面に当たることはない。従って、タンク用水抜栓（３０）を、その各部（３１，３６）が一体に組み合わされた通常の形態のままで、何ら問題なく使用することができる。
【００１９】
衛生洗浄装置（１０）を長期間使用しない場合や保守・点検時に、タンク用水抜栓（３０）の頭側のツマミ部（３６）をそのまま廻して、脚側のプラグ部（３１）を緩めた排水口（２２）より、タンク（２０）内の水を簡単に抜き出すことができる。
【００２０】
一方、前述の従来技術で示したように、和風両用便器（Ａ）に腰掛け改造用の便器部品（Ｂ）を設置したものに、本発明に係る衛生洗浄装置（１０）を装着する場合、タンク（２０）の底部（２１）が段部（Ｆ１）にぶつかることはないが極めて近接する。
【００２１】
このような場合、すなわち［２］記載のように、衛生洗浄装置（１０）を便器に装着する際、前記タンク（２０）の排水口（２２）を閉塞した状態にあるプラグ部（３１）の下端側が、組み合わせてある前記ツマミ部（３６）の高さ分よりも床面に近接する場合は、そのままではツマミ部（３６）が床面に当たってしまう。
【００２２】
そこで、ツマミ部（３６）をプラグ部（３１）から外して、タンク用水抜栓（３０）をプラグ部（３１）のみとして使用すれば、タンク用水抜栓（３０）が床面にぶつかるのを防ぐことができる。このように、衛生洗浄装置（１０）の便器下方の長さを、床面と干渉するような場合だけ、簡単に短く設定し直すことが可能であり、製品の施工範囲を広げることができる。
【００２３】
［３］記載のタンク用水抜栓（３０）では、前記プラグ部（３１）とツマミ部（３６）とを、それぞれに螺合する取付ネジ（４０）を介して一体に組み合わせる。従って、取付ネジ（４０）を外すだけで、タンク用水抜栓（３０）のプラグ部（３１）からツマミ部（３６）を、容易に分離することができる。
【００２４】
［４］記載のタンク用水抜栓（３０）では、プラグ部（３１）からツマミ部（３６）を分離している場合でも、前記プラグ部（３１）またはツマミ部（３６）の一方にある係合突起（３９）に、他方にある被係合溝（３３）を係合させた状態でツマミ部（３６）を廻せば、特別な工具などを用いることなく、プラグ部（３１）を緩めて水を抜き出すことができる。
【００２５】
具体的には例えば、［５］記載のようにタンク用水抜栓（３０）を構成すれば、一本の取付ネジ（４０）だけで、プラグ部（３１）とツマミ部（３６）を互いに相対的に回転不能に一体化させることができる。また、取付ネジ（４０）を外しても、互いに放射状の係合突起（３９）と被係合溝（３３）とを係合させることで、ツマミ部（３６）に対する回転力を確実にプラグ部（３１）に伝達することができる。
【００２６】
【発明の実施の形態】
以下、図面に基づき本発明を代表する一の実施の形態を説明する。
図１〜図１４は本発明の一実施の形態を示している。
本実施の形態に係る衛生洗浄装置１０は、便器側の便座後方に取付用プレート６やボルト７を介して装着され、タンク２０に貯めた温水を洗浄用ノズル１４から噴射する製品である。
【００２７】
衛生洗浄装置１０を装着する便器には、最近では最も普及している図１１に示す洋風の腰掛け式便器Ｃのみならず、図１５，１６に示すように、和風両用便器Ａに便器部品Ｂ（商品名：スワレット）を設置して、腰掛け式に改造したものも含まれる。
【００２８】
図９〜図１１に示すように、衛生洗浄装置１０は、各種の関連部品が収められたケーシング本体１１を備え、ケーシング本体１１の前部上側に、便座１２と便蓋１３が開閉可能に取り付けられている。また、ケーシング本体１１の前部下側には、洗浄ノズル１４が前方に延びるよう突設されている。
【００２９】
ケーシング本体１１の内部には、洗浄用ノズル１４から噴射する水量や温度などを制御するためのコントローラ基板や、洗浄用ノズル１４の駆動機構、その他に温水供給機構などの各種部品が収められている。また、図１に示すように、ケーシング本体１１の片側には、洗浄用ノズル１４に供給する温水を蓄えるタンク２０が配設されている。
【００３０】
タンク２０には、該タンク２０に供給される水を所定温度まで加温するための熱交換ユニット２０ａが一体に組み付けられている。タンク２０および熱交換ユニット２０ａは、ケーシング本体１１に一体に連結されるタンクカバー１１ａ内に収められている。なお、タンクカバー１１ａの上面には、各種操作スイッチを備えた操作部１５が設けられている。
【００３１】
タンク２０の底部２１（正確にはタンクカバー１１ａの底面）が、衛生洗浄装置１０で床面に最も近接する最下方に位置する部位となる。タンク２０の底部２１には、長期間使用しない場合や保守・点検時に、水を抜くための排水口２２が開設されている。この排水口２２を、本発明の根幹を成すタンク用水抜栓３０が塞いでいる。なお、タンクカバー１１ａにも、排水口２２に対応する開口部１１ｂが開設されている。
【００３２】
また、タンク２０の背面側にはバブルユニット（図示せず）が配設されている。このバブルユニットに、タンク２０内に水を導入するための給水口２５が配設されている。給水口２５の先端は、フレキシブルホース２６を介して、便器背後に設置されたロータンクＤに接続されている。
【００３３】
図２および図３に示すように、タンク用水抜栓３０は、前記排水口２２を直接閉塞するプラグ部３１と、該プラグ部３１の頭部３２（下端側）に分離可能に組み合わされ、通常はプラグ部３１と一体をなすツマミ部３６とから成る。プラグ部３１とツマミ部３６とは、それぞれに螺合する一本の取付ネジ４０を介して一体に組み合わされている。
【００３４】
図４〜図６に示すように、プラグ部３１は、通常はツマミ部３６が一体に接合する頭部３２と、タンク２０の排水口２２に螺合するネジ山が設けられた脚部３４とから成る。頭部３２（対接面側）には、軸心を通るネジ孔３５Ａを中心とした半径方向に、十字形に延びる被係合溝３３が設けられている。また、図１に示すように、排水口２２の閉塞に際して、脚部３４の基端にはＯリング状のパッキン４１が装着される。
【００３５】
図７および図８に示すように、ツマミ部３６は、掴みやすいように外径が波形に加工された頭部３７、それに脚部３８とから成る。脚部３８の先端側（対接面側）には、軸心を通るネジ孔３５Ｂを中心とした半径方向に、十字形に延びる係合突起３９が設けられている。
【００３６】
前記被係合溝３３と係合突起３９とは、互いに合致し相対的に回転不能に係合するようになっている。通常、プラグ部３１とツマミ部３６は、それらの被係合溝３３と係合突起３９とが係合した状態で、連続する２つのネジ孔３５Ａ，３５Ｂに螺合した取付ネジ４０により一体に組み合わされている。また、取付ネジ４０を外しても、前記被係合溝３３と係合突起３９とが係合していれば、ツマミ部３６に対する回転力がプラグ部３１に伝達されるように構成されている。
【００３７】
また、タンク用水抜栓３０の軸心方向に突出する係合突起３９を、プラグ部３１ではなくツマミ部３６の方に設けたことにより、タンク２０の排水口２２を直接閉塞するプラグ部３１の全長は極力抑えられている。具体的には図１において、プラグ部３１の頭部３２からツマミ部３６を仮に外した場合、プラグ部３１の頭部３２下端は、タンクカバー１１ａより僅かしか突出しないように設定されている。
【００３８】
逆にツマミ部３６は、プラグ部３１と一体のとき、掴みやすいように、プラグ部３１の頭部３２の下端よりある程度突出するように設定されている。なお、プラグ部３１およびツマミ部３６は、それぞれ合成樹脂で一体成形されており、材料削減のための中抜き加工が施されている。
【００３９】
次に、タンク用水抜栓３０の取り付けを中心に、作用について説明する。
図１２に示すように、衛生洗浄装置１０におけるタンク用水抜栓３０は、通常はプラグ部３１にツマミ部３６が一体に組み合わされており、一部品として製造されて流通し、また取り扱われる。
【００４０】
図２に示すように、プラグ部３１とツマミ部３６とが一体であるとき、タンク用水抜栓３０の高さに相当する全長は、プラグ部３１の全長に、該プラグ部３１の被係合溝３３内に没入する係合突起３９の部位を除いたツマミ部３６の長さを足したものになる。このタンク用水抜栓３０の全長は、プラグ部３１でタンク２０の排水口２２を閉塞した状態でも、ツマミ部３６を手で掴みやすいように、該ツマミ部３６側がタンク２０の底部より下方にある程度突出する長さとなる。
【００４１】
図１１において、衛生洗浄装置１０を、ごく一般的な腰掛け式便器Ｃに装着する場合、床面から便器上面までの高さが相当あるため、衛生洗浄装置１０の最下端に位置するタンク２０の底部２１、正確に言えばタンクカバー１１ａの底面は、床面からかなり離隔する。
【００４２】
従って、図１に示すように、タンク２０の底部２１より、さらに下方にタンク用水抜栓３０のツマミ部３６が突出していても、その先端が床面に当たることはない。そのため、タンク用水抜栓３０のプラグ部３１に、ツマミ部３６が一体に組み合わされた通常の形態のままで、何ら問題なく衛生洗浄装置１０を腰掛け式便器Ｃに装着することができ、使用できる。
【００４３】
衛生洗浄装置１０を、長期間使用しない場合や保守・点検時には、タンク用水抜栓３０の真下に洗面器などの水受けを置いてから、タンク用水抜栓３０の下端側に延びたツマミ部３６をそのまま廻して、上端側のプラグ部３１を緩め、開いた排水口２２より、タンク２０内の水を簡単に抜き出すことができる。
【００４４】
一方、図１５および図１６に示したように、和風両用便器Ａに腰掛け改造用の便器部品Ｂを設置したものに、衛生洗浄装置１０を装着する場合、タンクカバー１１ａの底面が段部Ｆ１上における床面にぶつかることはないが極めて近接する。このように、衛生洗浄装置１０を便器Ａ，Ｂに装着する際、タンク２０の排水口２２を閉塞した状態にあるプラグ部３１の下端側が、組み合わせてあるツマミ部３６の長さ（高さ）分よりも床面に近接する場合は、そのままではツマミ部３６が床面に当たってしまう。
【００４５】
かかる場合だけ、ツマミ部３６をプラグ部３１から取り外して、タンク用水抜栓３０をプラグ部３１のみとして使用すれば、タンク用水抜栓３０が床面にぶつかるのを防ぐことができる。図１３に示すように、ツマミ部３６の頭部３７から覗かれる取付ネジ４０をドライバーで緩めれば、プラグ部３１を排水口２２側に残したままの状態で、簡単にツマミ部３６のみ取り外すことができる。このように、衛生洗浄装置１０におけるタンク２０下方の長さを、床面と干渉するような場合だけ、簡単に短く設定し直すことが可能であり、製品の施工範囲を広げることができる。
【００４６】
次に、タンク２０内の水を簡単に抜き出すときには、衛生洗浄装置１０の装着時に外したツマミ部３６を使用する。図１４に示すように、ツマミ部３６側にある係合突起３９を、プラグ部３１側にある被係合溝３３に係合させて、そのままツマミ部３６を廻せば、特別な工具などを用いることなく、プラグ部３１を緩めて水を抜き出すことができる。
【００４７】
被係合溝３３と係合突起３９とは互いに十字形に合致し、ツマミ部３６に対する回転力を確実にプラグ部３１に伝達することができる。もちろんツマミ部３６を廻す際に、該ツマミ部３６を取付ネジ４０によりプラグ部３１に一体化させる必要はない。
【００４８】
なお、本発明に係る衛生洗浄装置のタンク用水抜栓は、前述した実施の形態に限定されるものではなく、例えば、プラグ部３１側に被係合溝３３を設け、ツマミ部３６側に係合突起３９を設けたが、逆の態様として、プラグ部３１側に係合突起３９を設け、ツマミ部３６側に被係合溝３３を設けてもよい。
【００４９】
また、被係合溝３３と係合突起３９の具体的な形状は、図示した十字形に限定されるものではなく、例えば、軸心を中心とした半径方向に、３本あるいは５本以上の突起または溝が放射状に延びるように設定したり、また、単に互いに回転不能に係合するものであればどんな形状に設定してもかまわない。
【００５０】
【発明の効果】
本発明に係る衛生洗浄装置のタンク用水抜栓によれば、タンクの底部にある排水口を直接閉塞するプラグ部と、該プラグ部の下端側に分離可能に組み合わされ、通常はプラグ部と一体をなすツマミ部とから成るので、衛生洗浄装置を便器に装着する際に、前記タンク用水抜栓の下端側が、そのままでは床面に当たってしまう場合だけ、下端側にある前記ツマミ部をプラグ部から取り外すことができる。
【００５１】
従って、本来は一部品である水抜栓の長さを、短くする必要があるときだけ、簡易な構成で調整することができ、タンク底部が便器下方の床面に極めて近接する場合でも、支障なく取り付けることが可能で、コストアップを招くことなく、製品の施工範囲を広げることができる。
【図面の簡単な説明】
【図１】本発明の一実施の形態に係る衛生洗浄装置のタンク用水抜栓を、通常の状態のままタンクの底部に取り付けた状態を示す断面図である。
【図２】本発明の一実施の形態に係る衛生洗浄装置のタンク用水抜栓を、その片側のみ破断して示す正面図である。
【図３】図２のＩＩＩ線方向から見た、破断してないタンク用水抜栓を示す側面図である。
【図４】本発明の一実施の形態に係る衛生洗浄装置におけるプラグ部を、その片側のみ破断して示す正面図である。
【図５】図４のＶ線方向から見た、片側のみ破断したプラグ部を示す側面図である。
【図６】図５のＶＩ−ＶＩ線断面図である。
【図７】本発明の一実施の形態に係る衛生洗浄装置におけるツマミ部を、その片側のみ破断して示す正面図である。
【図８】図７のＶＩＩＩ線方向から見た、片側のみ破断したツマミ部を示す側面図である。
【図９】本発明の一実施の形態に係る衛生洗浄装置の全体を示す平面図である。
【図１０】本発明の一実施の形態に係る衛生洗浄装置の全体を示す側面図である。
【図１１】本発明の一実施の形態に係る衛生洗浄装置を、洋風の腰掛け式便器に装着した状態を示す斜視図である。
【図１２】本発明の一実施の形態に係る衛生洗浄装置のタンク用水抜栓を、通常の状態のままタンクの底部に取り付けるときの状態を示す斜視図である。
【図１３】本発明の一実施の形態に係る衛生洗浄装置におけるツマミ部を、プラグ部から取り外すときの状態を示す斜視図である。
【図１４】本発明の一実施の形態に係る衛生洗浄装置におけるツマミ部を使って、プラグ部を緩めるときの状態を示す斜視図である。
【図１５】従来の衛生洗浄装置を、和風両用便器に設置してある便器部品に装着しようとする状態を示す斜視図である。
【図１６】和風両用便器に設置してある便器部品を示す側面図である。
【符号の説明】
Ａ…和風両用便器
Ｂ…便器部品
Ｃ…腰掛け式便器
１０…衛生洗浄装置
１１…ケーシング本体
１１ａ…タンクカバー
１４…洗浄用ノズル
２０…タンク
２０ａ…熱交換ユニット
２２…排水口
２５…給水口
３０…タンク用水抜栓
３１…プラグ部
３２…頭部
３３…被係合溝
３４…脚部
３６…ツマミ部
３７…頭部
３８…脚部
３９…係合突起
４０…取付ネジ
４１…パッキン
【図１】
0003542706.tif 000002
【図２】
0003542706.tif 000003
【図３】
0003542706.tif 000004
【図４】
0003542706.tif 000005
【図５】
0003542706.tif 000006
【図６】
0003542706.tif 000007
【図７】
0003542706.tif 000008
【図８】
0003542706.tif 000009
【図９】
0003542706.tif 000010
【図１０】
0003542706.tif 000011
【図１１】
0003542706.tif 000012
【図１２】
0003542706.tif 000013
【図１３】
0003542706.tif 000014
【図１４】
0003542706.tif 000015
【図１５】
0003542706.tif 000016
【図１６】
0003542706.tif 000017